(57)【要約】【課題】大規模災害等の場合でも営業可能な給油所等に関する情報を容易に把握することができ、緊急車両等への燃料補給を円滑に行うことのできる給油所システムを提供する。【解決手段】複数の給油所３の状況データを一元管理するデータセンター２と、複数の給油所の各々に設けられ、データセンターと通信を行う携帯端末３５〜３８とを備え、データセンターは、携帯端末の各々より出力された給油所の状況データを記憶すると共に、表示する給油所システム１。給油所の状況は、表、地図又は写真の少なくともいずれか一つによって示すことができ、データセンターは、各給油所の状況と災害状況とを比較して保守センター４に出力することもできる。【選択図】図１
2018156372.tif 000002
【特許請求の範囲】
【請求項１】
複数の給油所の状況データを一元管理するデータセンターと、
前記複数の給油所の各々に設けられ、前記データセンターと通信を行う携帯端末とを備え、
前記データセンターは、前記携帯端末の各々より出力された給油所の状況データを記憶して集計することを特徴とする給油所システム。
【請求項２】
前記給油所の状況は、表、地図又は写真の少なくともいずれか一つによって示されることを特徴とする請求項１に記載の給油所システム。
【請求項３】
前記データセンターは、各給油所の状況と災害状況とを比較して保守センターに出力することを特徴とする請求項１又は２に記載の給油所システム。
【発明の詳細な説明】
【技術分野】
【０００１】
本発明は、大規模な災害が発生したような場合でも、緊急車両等への燃料補給を可能にするなど、大規模災害に対応可能な給油所システムに関する。
【背景技術】
【０００２】
車両にガソリン等の燃料油を供給する給油所には、燃料油を貯留する地下タンクが埋設され、この地下タンクと地上に設けた給油装置とを給油管で接続し、給油装置で車両等へ燃料油を給油する。このような給油所で、例えば、地震等の大きな災害が発生した場合には、給油管又は給油装置が損傷して地下タンク内の燃料油が給油できなくなる虞がある。
【０００３】
そこで、本出願人は特許文献１において、災害発生時に燃料油を供給することができるように、燃料油を貯留する貯蔵タンクと、貯蔵タンクに貯留した燃料油を供給する給油装置とを移動用の架台上に配設した燃料供給ユニットを提案した。
【先行技術文献】
【特許文献】
【０００４】
【特許文献１】特開２０１３−１８５４１号公報
【発明の概要】
【発明が解決しようとする課題】
【０００５】
上記特許文献１に記載の発明は有効であるが、大規模な災害が起こった場合でも、給油所が存在する場所や、給油所の機器構成によっては給油可能なものが存在し、営業可能な給油所が存在することもある。
【０００６】
しかし、そのような営業可能な給油所に関する情報を把握するには、各給油所に個別に連絡を取る必要があるなど、情報の収集が困難であるため、緊急車両等への燃料補給が思うようにできず災害時の対応に苦慮していた。
【０００７】
そこで、本発明は上記従来の問題に鑑みてなされたものであって、大規模災害等の場合でも営業可能な給油所等に関する情報を容易に把握することができ、緊急車両等への燃料補給を円滑に行うことのできる給油所システムを提供することを目的とする。
【課題を解決するための手段】
【０００８】
上記目的を達成するため、本発明の給油所システムは、複数の給油所の状況データを一元管理するデータセンターと、前記複数の給油所の各々に設けられ、前記データセンターと通信を行う携帯端末とを備え、前記データセンターは、前記携帯端末の各々より出力された給油所の状況データを記憶して集計することを特徴とする。
【０００９】
本発明によれば、データセンターによって給油所の状況データを記憶、集計できるため、給油所の災害状況を一元管理することができ、営業可能な給油所等に関する情報を容易に把握することができる。
【００１０】
上記給油所システムにおいて、前記給油所の状況を、表、地図又は写真の少なくともいずれか一つによって示すことができる。これによって、一目で給油所の災害状況を把握することができる。
【００１１】
また、前記データセンターは、各給油所の状況と災害状況とを比較して保守センターに出力することができ、これによって、災害状況により事前に準備する機器、部品を把握して迅速かつ適切な保守管理に役立てることができる。
【発明の効果】
【００１２】
以上のように、本発明によれば、災害状況を一元的に把握でき、緊急車両等への燃料補給を円滑に行うことができるなど、大規模災害に対応可能な給油所システムを提供することができる。
【図面の簡単な説明】
【００１３】
【図１】本発明に係る給油所システムの一実施の形態を示す全体構成図である。
【図２】図１の給油所システムにおけるデータセンターと携帯端末の動作を説明するためのフローチャートである。
【図３】災害が発生した際に、給油所本部の端末に表示されるログイン画面の一例を示す図である。
【図４】給油所本部で特定のエリアを選択した画面の一例を示す図である。
【図５】データセンターが特定のエリアに存在する給油所の携帯端末に災害状況確認データを出力する画面の一例を示す図である。
【図６】携帯端末がデータセンターから災害状況確認データを受けた場合に、携帯端末に表示されるメーセージの一例を示す図である。
【図７】携帯端末がデータセンターに送信する給油所状況データの一例を示す図である。
【図８】給油所本部の端末の表示装置に営業可能な給油所を一覧表で表示した場合を示す図である。
【図９】給油所本部の端末の表示装置に営業可能な給油所を地図上に表示した場合を示す図である。
【発明を実施するための形態】
【００１４】
次に、本発明を実施するための形態について、図面を参照しながら詳細に説明する。
【００１５】
図１は、本発明に係る給油所システムの一実施の形態を示し、この給油所システム１は、各給油所３（３Ａ〜３Ｄ）の状況データ等を一元管理するデータセンター２と、各給油所３に設けられ、データセンター２と通信可能な携帯端末３５〜３８とを備える。
【００１６】
データセンター２は、サーバー２ａと給油所情報処理装置２ｂとを備え、上記携帯端末３５〜３８以外にも、保守センター４、給油所本部５、気象庁６等に配置された各装置と通信可能に接続されている。データセンター２では、携帯端末３５〜３８より出力された各給油所３の状況データをサーバー２ａに記憶すると共に、記憶した状況データを給油所情報処理装置２ｂによって集計等の加工を行った上でさらにサーバー２ａに記憶する。
【００１７】
保守センター４は、各給油所３の保守管理を担当し、保守管理のための機器、部品等を備える。また、給油所本部５は、各給油所３を統括して管理する部署である。
【００１８】
各給油所３（図１には給油所３Ａの構成のみを詳細に示す。）には、ＰＯＳ３１と、屋内液量管理装置３２と、地下タンク３３（３３Ａ〜３３Ｃ）と計量機３４（３４Ａ〜３４Ｃ）とが設けられる。これらは一般的な給油所に設けられているものであって、個々の装置についての詳細説明を省略する。
【００１９】
屋内液量管理装置３２は、 地下タンク３３の油面計３３ａからの液量（在庫量）データを記憶し、タンクローリーからの受入量と、計量機３４による給油量等から給油所３内の燃料油の量を管理する装置であって、液量等を表示するための表示部３２ａと、異常が発生した場合等に点灯する異常ランプ３２ｂと、液量データ等を印刷するためのプリンター３２ｃ等を備える。
【００２０】
各計量機３４には、地震等で揺れが発生した際に、凹部に配置された鋼球が落下することなどにより揺れを感知する感震センサ３４ａが設けられる。
【００２１】
次に、上記構成を有する給油所システム１の動作について、図２を中心に図１〜図７を参照しながら説明する。
【００２２】
地震等の災害が発生すると、給油所本部５の担当者が端末に図３に示すようなログイン画面よりログインする。この際、給油所本部５に災害が発生したことを報知するための警報等を発してもよい。また、気象庁６から発せられる信号、計量機３４に内蔵された感震センサ３４ａの信号や、地下タンク３３の油面計３３ａによって測定された油面の揺れ信号によってログイン画面を自動的に表示してもよい。尚、タンクローリーによる荷卸し時には該当地下タンク３４の油面しか揺れないが、地震時は全ての地下タンク３４の油面が揺れるため、ログイン画面を自動的に起動することができる。
【００２３】
図３の画面より給油所本部５からログインされると（ステップＳ１）、データセンター２は、給油所本部５の端末の表示装置に災害エリアを表示させる（ステップＳ２）。次に、表示された災害エリアから給油所本部５で特定のエリアを選択すると（ステップＳ３、図４参照）、データセンター２は、その特定のエリアに存在する給油所３の携帯端末３５等に災害状況確認データを出力する（ステップＳ４、図５参照）。
【００２４】
携帯端末３５等がデータセンター２から災害状況確認データを受けると、携帯端末３５等には、図６に示すようなメーセージが表示される。そこで、各給油所３の管理者は、図７に示すように、営業の可否、電気使用の可否、水道使用の可否、現状の簡単な説明及び撮影した写真等の給油所状況データを入力し（ステップＳ９）、入力したデータをデータセンター２に出力する。
【００２５】
データセンター２は、給油所状況データを受けると、データを記憶すると共に集計等を行い、図８及び図９に示すように、表や地図、さらには写真（不図示）等で営業可能な給油所を給油所本部５の端末の表示装置に表示させる（ステップＳ７）。これによって、給油所本部５では各給油所３の災害状況を一元管理できると共に、営業可能状況を把握することができる。また、データセンター２は、各給油所３の状況と、専用データベースより入手したり、手動入力した災害状況とを比較して保守センター４に出力することで、保守センター４は、災害状況により事前に準備する機器、部品を把握し、迅速かつ適切な保守管理を行うことができる。
【００２６】
尚、上記説明における給油所システム１の各構成要素や接続構造は一例に過ぎず、本発明の趣旨を逸脱しない範囲でいかなる構成を採用してもよい。
【符号の説明】
【００２７】
１  給油所システム
２  データセンター
２ａ  サーバー
２ｂ  給油所情報処理装置
３（３Ａ〜３Ｄ）  給油所
４  保守センター
５  給油所本部
６  気象庁
３１  ＰＯＳ
３２  屋内液量管理装置
３２ａ  表示部
３２ｂ  異常ランプ
３２ｃ  プリンター
３３（３３Ａ〜３３Ｃ）  地下タンク
３３ａ  油面計
３４（３４Ａ〜３４Ｃ）  計量機
３４ａ  感震センサ
３５〜３８  携帯端末
【図１】
2018156372.tif 000003
【図２】
2018156372.tif 000004
【図３】
2018156372.tif 000005
【図４】
2018156372.tif 000006
【図５】
2018156372.tif 000007
【図６】
2018156372.tif 000008
【図７】
2018156372.tif 000009
【図８】
2018156372.tif 000010
【図９】
2018156372.tif 000011